(57)【要約】【課題】  本発明は、配管の先端部に取り付けられたドレンキャップなどの締結具を緩めたり外す場合に、万が一内圧が作用していても漏れた液体や気体を作業者にかからないようにしながら締結具を外すことができ、作業の安全性を向上させることができる被液などの防止カバー付きレンチおよびドレンキャップを提供することを目的とする。【解決手段】  本発明は、ネジ部を有するドレンキャップなどの締結具１６に係合する係合部２をロッド部１の先端側に有した本体部４と、該本体部４に装着されて前記係合部２の周囲を囲繞するカバー部材５とを具備してなり、該カバー部材５の前記本体部側と反対側に前記締結具１６を挿通自在な開口部５ｄが形成されてなることを特徴とする。【選択図】      図１
2005125434.tif 000002
【特許請求の範囲】
【請求項１】
内ネジ部を有するドレンキャップなどの締結具に係合する係合部をロッド部の先端側に有した本体部と、該本体部に装着されて前記係合部の周囲を囲繞するカバー部材とを具備してなり、該カバー部材の前記本体部側と反対側に前記締結具を挿通自在な開口部が形成されてなることを特徴とする被液などの防止カバー付レンチ。
【請求項２】
前記カバー部材が口部と肩部と胴部を具備するボトル型に形成され、該カバー部材の口部が前記ロッド部に取り付けられ、前記カバー部材の胴部が前記係合部を覆う位置に配置され、前記胴部の一端側に前記開口部が形成されてなることを特徴とする請求項１に記載の被液などの防止カバー付レンチ。
【請求項３】
前記カバー部材の少なくとも一部が透明にされてなることを特徴とする請求項１または２に記載の被液などの防止カバー付レンチ。
【請求項４】
前記カバー部材が、口部と肩部と胴部を具備し、該胴部の一端側に開口部を形成したペットボトルからなることを特徴とする請求項１〜３のいずれかに記載の被液などの防止カバー付レンチ。
【請求項５】
前記カバー部材の前記口部にネジ部が形成され、該口部に螺合自在とされたキャップ部材がその天板を前記ロッド部に貫通されて該ロッド部に取り付けられ、前記キャップ部材に対して前記カバー部材が着脱自在に螺合され、該カバー部材が前記ロッド部に対して交換自在に取り付けられてなることを特徴とする請求項３または４に記載の被液などの防止カバー付レンチ。
【請求項６】
前記ロッド部材の係合部がソケットレンチ部からなることを特徴とする請求項１〜５のいずれかに記載の被液などの防止カバー付レンチ。
【請求項７】
前記ロッド部材の後端部側に該ロッド部材をその軸周りに回転操作するための操作部材が着脱自在に取り付けられてなることを特徴とする請求項１〜６のいずれかに記載の被液などの防止カバー付レンチ。
【請求項８】
前記ロッド部材の後端部にネジ結合部が形成され、前記操作部材がこのネジ結合部を介して前記ロッド部材に着脱自在に取り付けられてなることを特徴とする請求項７に記載の被液などの防止カバー付レンチ。
【請求項９】
筒型の周壁部とその一側に形成された天板部とを具備したキャップ型に形成され、前記天板部外面に多角形状の突起部あるいは凹部が形成されてなることを特徴とするドレンキャップ。
【発明の詳細な説明】
【技術分野】
【０００１】
本発明は配管の端部に取り付けられたドレンキャップなどの締結具を緩めたり取り外す際、配管内部側から漏洩しよとする液体や気体を周囲に飛散させることなく作業を行うことが可能な被液などの防止カバー付レンチおよびドレンキャップに関する。
【背景技術】
【０００２】
各種のプラント配管設備において配管の端部をドレンキャップと称される締結具で閉じておくことがなされている。図５はその一例の構造を示すもので、圧力計１００を備えた主配管１０１の途中に分岐配管１０２が接続され、この分岐配管１０２の先端側に開閉バルブ１０３を介して端末管１０５が接続され、この端末管１０５の先端部に形成されたネジ部にドレンキャップ１０６が螺合されて端末管１０５が閉じられている。また、この例では主配管１０１の先端部にも開閉バルブ１０７と端末管１０８とドレンキャップ１０９が接続されている。
このような端末管１０５を備えた配管設備においては、ドレンキャップ１０６で先端部を長期間閉じたままにしておくわけではなく、必要に応じてドレンキャップ１０６を緩めて取り外したり、他の配管を接続する操作を行うことがある。
【０００３】
ここで圧力計１００の圧力値を読み取ると主配管１００には内圧が作用していると分かるので、ドレンキャップ１０６を外す前に開閉バルブ１０３で管路を一端閉じてから図５に示すようなパイプレンチなどのレンチ工具１０８を用いてドレンキャップ１０６を回して外すのであるが、開閉バルブ１０３の締め付けが不充分であった場合、あるいは、開閉バルブ１０３の内部パッキンなどが傷んで内漏れが発生している場合、ドレンキャップ１０６を緩めてゆくうちに端末管１０５の先端ねじ部とドレンキャップ１０６との間の隙間から内圧が開放され、それとともに配管内部の液体が周囲に飛散し、場合によっては作業者に配管内の液体が降りかかるおそれを有していた。配管内部の液体が人体に無害なものである場合は問題がないが、人体に危険な薬品や酸、アルカリ溶液あるいは熱湯や高温の蒸気などである場合にドレンキャップ１０６を外す作業には危険がつきまとうものであった。
このため従来は、配管内部の液性等によりそれに適した保護具を着用し、ゴム製手袋等を着用してドレンキャップ１０６を手で覆いながら慎重に緩めて脱圧していたが、それでも配管内部の液体や気体と接触する危険性は高いものであった。
【０００４】
また、配管用ではないが、この種のドレンキャップにおいてその交換時に内部の液体が飛散することを防止する目的で、ドレンキャップを特別な構成とした技術が以下の特許文献１に記載されている。
特許文献１に記載された構造は、薬液タンクのドレン口に装着されるキャップ本体の前記ドレン口側の内面に、前記キャップ本体部から突出させて前記ドレン口の内面側に適合する傘型（茸型）のシール部材を設けたものである。
【特許文献１】特開２０００−２５５６０６号公報
【発明の開示】
【発明が解決しようとする課題】
【０００５】
前記特許文献１に記載された構造ではドレンキャップを緩めた場合に一時的に傘型のシール部材が薬液の飛散を防止するものの、ドレンキャップを緩めて外す場合に傘型のシール部材と配管との間に必然的に隙間が生じるので、薬液が飛散する可能性は有していた。また、仮に前記特許文献１に記載されたドレンキャップを配管用に適用したとしても、配管の内部に余圧がある限りドレンキャップを緩めてから外すまでの課程のいずれかの段階において液体や気体が漏れ出る可能性を有している。
【０００６】
本発明は前記事情に鑑みてなされたもので、配管の端部に取り付けられたドレンキャップなどの締結具を外す場合に、万が一内圧が作用していても漏れ出ようとする液体や気体を作業者にかからないようにしながら締結具を緩めたり外すことができ、作業の安全性を確保することができる被液などの防止カバー付きレンチおよびそれと組み合わせるドレンキャップを提供することを目的とする。
【課題を解決するための手段】
【０００７】
（１）本発明は前記事情に鑑みてなされたもので、内ネジ部を有するドレンキャップなどの締結具に係合する係合部をロッド部の先端側に有した本体部と、該本体部に装着されて前記係合部の周囲を囲繞するカバー部材とを具備してなり、該カバー部材の前記本体部側と反対側に前記締結具を挿通自在な開口部が形成されてなることを特徴とする。
（２）本発明において、前記カバー部材が口部と肩部と胴部を具備するボトル型に形成され、該カバー部材の口部が前記ロッド部に取り付けられ、前記カバー部材の胴部が前記係合部を覆う位置に配置され、前記胴部の一端側に開口部が形成されてなることを特徴とするものでも良い。
【０００８】
（３）本発明において、前記カバー部材の少なくとも一部が透明にされてなることを特徴とするものでも良い。
（４）本発明において、前記カバー部材が、口部と肩部と胴部を具備し、該胴部の一端側に開口部を形成したペットボトルからなることを特徴とするものでも良い。
（５）本発明において、前記カバー部材の前記口部にネジ部が形成され、該口部に螺合自在とされたキャップ部材がその天板に形成された挿通孔を介して前記ロッド部に挿通されて該ロッド部に取り付けられ、前記キャップ部材に対して前記カバー部材が着脱自在に螺合され、該カバー部材が前記ロッド部に対して交換自在に取り付けられてなることを特徴とするものでも良い。
（６）本発明において、前記ロッド部材の係合部がソケットレンチ部からなることを特徴とするものでも良い。
（７）本発明において、前記ロッド部材の後端部側に該ロッド部材をその軸周りに回転操作するための操作部材が着脱自在に取り付けられてなることを特徴とするものでも良い。
（８）本発明において、前記ロッド部材の後端部にネジ結合部が形成され、前記操作部材がこのネジ結合部を介して前記ロッド部材に着脱自在に取り付けられてなるものでも良い。
（９）本発明のドレンキャップは、筒型の周壁部とその一側に形成された天板部とを具備したキャップ型に形成され、前記天板部外面に多角形状の突起部または凹部が形成されてなることを特徴とする。
【発明の効果】
【０００９】
カバー部材の開口部を通してドレンキャップなどの締結具をカバー部材の内側に挿入した状態のままロッド部の先端側に設けた係合部をドレンキャップなどの締結具に係合してロッド部を回転させることで締結具を緩めることができるので、締結具を緩めている間にカバー部材で締結具の周囲を確実に覆うことができる。従って仮に配管の内部に弁の内漏れなどの原因により残圧が発生していて締結具を緩めるにつれて締結具と配管の隙間から液体や気体が噴き出すことがあっても、吹き出した液体や気体はカバー部材の内面に当たってカバー部材の内部を伝わり、カバー部材の開口部から外に流れ落ちるか外部に出るので、作業者は突然噴出した液体や気体に触れることなく安心して締結具を緩める作業、あるいは締結具を取り外す作業を行うことができる。
なお、カバー部材の内側に吹き出した液体や気体はカバー部材の開口部から順次流れ落ちるか、開口部から外に出るが、作業者は吹き出した液体や気体が出てくるのはカバー部材の開口部からのみであると認識しながら作業を行うことができるので、不意に液体や気体が噴出しても作業者が誤って液体や気体に触れてしまうおそれが少ない。従ってドレンキャップなどの締結具を緩めるか、配管から外す作業を行う場合の安全性が確実に向上する。また、ロッド部の長さを数１０ｃｍ〜数ｍ程度の範囲で十分に長く設定しておくならば、特に危険性が高い液体や気体を使用している配管の締結具に対しても利用することができる。
【００１０】
本発明においてカバー部材をボトル型に形成し、胴部の一端側に開口部を形成してなると締結具を開口部からカバー部材の内部に容易に挿入して締結具を胴部で囲うことができる。このカバー部材の素材は配管内部の液体に対して耐性があるものであれば特に限定されない。即ちカバー部材は金属製、プラスチック製、ガラス製のいずれのものでも構わないが、透明な素材であることが好ましい。
本発明においてカバー部材の少なくとも一部を透明とすることで、開口部からカバー部材の内側に締結具を入れ易いとともに、配管と締結具の隙間から液体や気体が噴出した場合に噴出したことを目視で容易に把握することができる。また、カバー部材の透明部分からその内側を目視可能になるので、カバー部材の内側でドレンキャップなどの締結具にロッド部先端の係合部を係合する作業が容易にできるとともに、ドレンキャップなどの締結具を回転操作する作業も透明部分ごしに締結具と係合部の係合状態を目視しながら確実かつ容易に実施できる。上述のカバー部材を構成する透明な素材としてプラスチック素材が好ましく、ポリエチレンテレフタレートなどのポリエステル系、ポリプロピレン、ポリエチレン、硬質ポリ塩化ビニル、フッ素樹脂（ポリテトラフルオロエチレン、テトラフルオロエチレン−パー−フルオロアルキルエーテル共重合体）等を例示することができる。
【００１１】
本発明においてカバー部材がペットボトル（ポリエチレンテレフタレート製ボトル）からなることで、開口部からカバー部材の内側に締結具を入れ易いとともに、配管と締結具の隙間から液体や気体が噴出した場合に目視で容易に把握することができる。
次に、一般市販のペットボトルをカバー部材として容易に利用できるとともに使用済みのペットボトルの底部を切り取ることでカバー部材として再生利用できるので、安価に実現でき、資源的にも無駄が無く、有利である。また、ペットボトルであれば、全体が透明であり、カバー部材の内側の全域を容易に目視可能となるので、カバー部材の内側でドレンキャップなどの締結具にロッド部先端の係合部を係合する作業を極めて容易に実施できるとともに、ドレンキャップなどの締結具を回転操作する作業を締結具と係合部の係合状態を目視しながら極めて容易に実施できる。更に、ペットボトルであるならば、耐衝撃性と耐溶剤性に優れ安全性が高いと共に、酸やアルカリなどに対しても一時的な耐性を有するので、人体に有害な種々の液体や気体が用いられている化学プラントにおいて広く用いることができる。
【００１２】
本発明においてカバー部材をロッド部に着脱自在に構成しておくことで、カバー部材を交換しながら使用することができ、カバー部材が汚れたり、部分的に破損してもカバー部材を交換することにより本発明のカバー付レンチを再度使用できる。
本発明において係合部がソケットレンチ部からなることで、ナット型の締結具あるいはナット型の部分を有する締結具を緩めたり外すことができる。
本発明において本体部の後端部側に本体部をその軸周りに回転操作するための操作部材を設けたものでは、作業者が操作部材を握って本体部を容易に手動で回転操作することができる。
本発明においてドレンキャップがキャップ型であり、天板部外面にナット型などの多角形状の突起部または凹部を有するものとすることで突起部または凹部に容易に係合してドレンキャップを緩めるたり外したりすことができる。特に配管内の内容物が危険なものではない場合、本発明のドレンキャップの構造を採用することでスパナやモンキーレンチのようなより一般的な工具によりドレンキャップを締めたり緩めたりすることができる。また、ドレンキャップの天板部の突起部はナット型（６角形）が好ましいが、４角形等の多角形状であっても良い。更にドレンキャップにおいて天板部に形成するものを突起部ではなく、多角形状の凹部にしても良い。この場合はレンチの係合部を前記多角形状の凹部に係合する形状の多角形状の凸型にすれば良い。
本発明において、操作部材をネジ結合部を介してロッド部に着脱自在に取り付ける構成とすることにより、操作部材の交換が可能であり、例えば操作部材として大型のものと小型のものを用意して使い分けるようにするならば、配管周囲に作業スペースのない狭い場所では小型の操作部材を用い、広い作業スペースを確保できる場所では大型の操作部材を用いて大きなトルクで締結具を緩めたり外す作業を行うことができる。
【発明を実施するための最良の形態】
【００１３】
次に、本発明に係る第１の実施の形態の構成について図面を参照して説明する。
図１と図２は本発明に係る被液防止カバー付きレンチの第１の実施の形態に関するもので、この実施形態の被液防止カバー付きレンチＡは、金属製のロッド部１と、このロッド部１の先端部側に溶接などの取付手段により一体化されたソケットレンチ部（係合部）２と、前記ロッド部１の後端部側に取り付けられた操作ハンドル（操作部材）３と、前記ロッド部１の先端部近くの部分に口部を取り付けてなるペットボトル型のカバー部材５と、このカバー部材５の口部に螺合されたキャップ部材６を主体として構成され、前記ロッド部１とソケットレンチ部２から本体部４が構成されている。
前記ソケットレンチ部２は、６角ナットなどの締結具を係合自在な平面視６角型の凹部２ａ（図２参照）を有するものであり、この実施の形態ではロッド部１に溶接固定されている。なお、ソケットレンチ部２の６角型の凹部の大きさの異なるものを複数用意しておき、大きさの異なるソケットレンチ部をロッド部１に対して個々に着脱交換自在な構成としても良いのは勿論である。
前記操作ハンドル（操作部材）３は、この実施の形態ではロッド部１の後端部に形成されたネジ部１ａを螺合した筒型の受部８ａを有するＴ字形で筒型の結合具８と、この結合具８の残りの２つの受部８ｂ、８ｃに挿入された金属パイプ製の操作ロッド９からなるＴ字形に構成され、操作ロッド９、９を作業者が手回しすることでロッド部１をその軸周りに回転自在とすることができる構成とされている。この操作ハンドル３はこの実施形態ではＴ字型に構成されているが、円形や環状などの他の形状でも差し支えなく、要はロッド部１を回転操作し易い形状であれば良い。
【００１４】
前記カバー部材５は、口部５ａと肩部５ｂと胴部５ｃとを具備して成るペットボトル型の容器状に形成され、その筒型の胴部５ｃの一端部側に胴部５ｃをその横断面に沿って切り落とす形で形成された開口部５ｄが形成され、更に前記口部５ａの外周部に形成されたねじ部５ｆに螺合する形のキャップ部材６が螺合されている。このキャップ部材６は筒型の周壁部６ａとその一端側を閉じるように形成された天板６ｂを具備してなり、天板６ｂを貫通する形でロッド部１が挿通されている。このキャップ部材６にあってはその天板６ｂに形成されて前記ロッド部１よりも若干内径の小さな透孔にロッド部１を強く押し込んで貫通させることによりロッド部１に対してキャップ部材６がぐらつかないように固定されている。また、前記カバー部材５はキャップ部材６に口部５ａを螺合し、肩部５ｂをソケットレンチ部２の近くに位置させ、胴部５ｃをソケットレンチ部２の前方側に位置させてロッド部１に固定されている。
なお、このカバー部材５は、樹脂から構成されることが好ましく、その樹脂は少なくとも一部が透明であることが好ましく、更に全体が透明体であることがより好ましく、これらの中でも全体が透明のペットボトル（ポリエチレンテレフタレート製ボトル）から構成されていることが最も好ましい。ペットボトルからカバー部材５を構成する場合、カバー部材５の形状に予め成型しておいて専用に製造したものでも良く、また、一般市販のペットボトルあるいは使用済みペットボトルの底部を一部切断して除去して開口部を形成すれば、本実施形態のカバー部材５として適用できる。また、用いるペットボトルの大きさは、２００〜３００ｍｌ用、５００ｍｌ用、１０００ｍｌ用、２Ｌ用などの種々のペットボトルをロッド部１の長さに合わせて適宜使用すればよい。なおまた、前記キャップ部材６の天板６ｂにロッド部１を貫通させた後で必要に応じて取付状態の補強のために接着テープを巻き付けたり接着剤を塗布して固定しても良い。
【００１５】
これらの構成に対して図４に示すように圧力計１０を備えた主配管１１の途中に分岐配管１２が接続され、この分岐配管１２の先端側に図１あるいは図４に示すように弁装置（開閉バルブ）１３を介して端末管１５が接続され、この端末管１５の先端部に形成されたネジ部にドレンキャップ１６が螺合されて端末管１５が閉じられている。そしてこの端末管１５の先端部を閉塞したドレンキャップ１６に対し、先の実施の形態の被液防止カバー付レンチＡによって取り外し作業あるいは緩める作業を行う。
また、ここで用いられるドレンキャップ１６は円筒型の周壁部１６ａとその一端側を閉塞する天板部１６ｂとからなるキャップ型に形成され、周壁部１６ａの内周部に形成された内ネジ部を端末管１５の先端部外周に形成されたネジ部１５ａに螺合して端末管１５の先端部に取り付けられている。また、この形態のドレンキャップ１６の天板部１６ｂの外面中心部には６角ナットからなる突起部１６ｃがその中心軸線をドレンキャップ１６の中心軸線に位置合わせして溶接により固定されている。
【００１６】
前記構成の被液防止カバー付きレンチＡを使用して前記ドレンキャップ１６を緩めたり外したりするには、端末管１５の先端側のドレンキャップ１６にカバー部材５を向けてその開口部５ｄを通してカバー部材５の内側にドレンキャップ１６を入れるように操作し、そのまま被液防止カバー付レンチＡを前進させてソケットレンチ部２の凹部２ａをドレンキャップ１６のナット型の突起部１６ｃに嵌合し、操作ロッド９、９を手動操作により回してドレンキャップ１６を緩める作業を行う。ここでカバー部材５の全体が透明であるので突起部１６ｃに対するソケットレンチ部２の嵌合作業をカバー部材５ごしに目視しながら正確かつ容易に行うことができる。
上述の操作を行う場合に仮に端末管１５の内部に弁装置１３の内漏れ等に起因して内圧が作用していると、ドレンキャップ１６と端末管１５との間の透き間から配管内部の液体が漏れ出て例えば図４に示すように噴出することがあるが、このような場合であってもカバー部材５が噴出する液体をせき止めるので、作業者に液体がかかるおそれは少ない。
【００１７】
また、カバー部材５の内側に噴出した液体はカバー部材５の内部を伝わってその開口部下端側から外部に流れ落ちるが、これに対して作業者は操作ロッド９、９を回転操作する位置に位置していてカバー部材５の先端側での液体が流れ落ちる位置から若干離れているので、カバー部材５の先端部から流れ落ちる液体に触れるおそれは少ない。このようにして端末管１５の内部に内圧が作用していて不意に液体が噴出してもその液体に触れることなくドレンキャップ１６を緩める作業あるいはドレンキャップ１６を外す作業を行うことができるので、作業の安全性が向上する。
例えば配管の内部に酸やアルカリなどの人体に危険な液体が入っていた場合、あるいは、無害な水等であっても蒸気などのように温度が高く人体に触れると火傷等を引き起こすおそれを有する気体が入っていた場合などにおいても有効なカバー付レンチＡを提供できることとなる。
【００１８】
次に、カバー部材１５がペットボトルからなる場合、ペットボトルを構成するポリエチレンテレフタレートはほとんどの薬品（酸あるいはアルカリ溶液）に対して少なくとも一時的に耐薬品性が高いので、カバー部材１５自体を損傷させるおそれを低くすることができ、これによっていずれの薬液や気体を扱う配管用のドレンキャップを外す作業にもこの形態のレンチＡを有効に利用できるものと考えられる。
更に、透明なペットボトルからカバー部材１５を構成すると、内側が明瞭に見えるので弁装置１３が内漏れしている場合に液体や気体の噴出状態を見て残液残圧の確認が容易に出来ると共に、ペットボトルは安価な商品であるので、カバー部材１５が劣化した時点で安価かつ容易に交換できる。
ロッド部１はその長さを変えることでドレンキャップ１６からより遠い位置での遠隔操作を可能とするので、ロッド部１を長くすることでより確実に液体や気体に触れないようにすることが出来る。また、操作ロッド９、９の長さを変えることでロッド部１を回転操作する場合のトルクを調整できる。例えば操作ロッド９、９を長くするとロッド部２の回転トルクを大きくすることができ、堅く締め付けられたドレンキャップ１６であっても容易に緩めて開けることが可能となる。
【００１９】
前記操作ロッド９、９を円形にすることで操作の向上を図ることができ、操作ハンドル部分にラチェット機構を組み込み、特定の一方向のみ優先的に回転させることができるラチェット操作を行うことができる。
次に、本実施形態において、ソケットレンチ部２の形状は通常６角形状で良いが、適用するドレンキャップの突起部の形状に合わせて他の多角形状でも良い。例えばドレンキャップはこの実施の形態では円筒キャップ型のものを用いてその外面側にナット型の突起部１６ｃを設けた構成としたが、突起部１６ｃの代わりに天板部１６ｂに多角形状の凹部を設けてソケットレンチ部２の形状を多角形の凸部型に形成し、両者を係合できるように構成しても良く、更にドレンキャップ自体が袋ナットのような多角形状のものに本発明を適用しても良いのは勿論である。
また、カバー部５はドレンキャップ１６を覆うために必要十分な大きさであることが必要で、例えば５００ｍｌタイプのペットボトルを適用できるが、勿論その他の大きさのペットボトルでも良い。
【図面の簡単な説明】
【００２０】
【図１】図１は本発明に係る被液防止カバー付きレンチの第１の実施の形態をドレンキャップに接近させた状態を示す側面図。
【図２】図２は同被液防止カバー付きレンチの正面図。
【図３】図３は図１に示すドレンキャップの正面図。
【図４】図４は同被液防止カバー付きレンチでドレンキャップを緩め液体が噴出した状態を示す側面図。
【図５】図５は従来のドレンキャップをレンチで緩めて液体が噴出した状態を示す側面図。
【符号の説明】
【００２１】
１…ロッド部、
２…ソケットレンチ部（係合部）、
３…操作部材（操作ハンドル）、
４…本体部、
５…カバー部材、
５ａ…口部、  ５ｂ…肩部、
５ｃ…胴部、  ５ｄ…開口部、
５ｆ…ネジ部、
６…キャップ部材、
６ｂ…天板、
９…操作レバー、
１３…弁装置、
１５…端末管、
１６…締結具（ドレンキャップ）、
１６ｃ…突起部。
【図１】
2005125434.tif 000003
【図２】
2005125434.tif 000004
【図３】
2005125434.tif 000005
【図４】
2005125434.tif 000006
【図５】
2005125434.tif 000007